(57)【要約】【課題】スイッチング素子の温度があるしきい値を下回る場合、定常動作時の電力を超える電力を被加熱物に供給することができる誘導加熱装置を提供することを目的とする。【解決手段】第１、第２のスイッチング素子１２、１３と、加熱コイル１４と共振コンデンサ１５を含む共振回路と、電源１１と、冷却ファン１９と、制御手段１７と、温度検知手段１８とを備え、温度検知手段１８の検知信号によってインバータの出力電力を変化させるようにしたものである。これによって、スイッチング素子１２、１３の温度があるしきい値を下回ると判断した場合、定常動作時の電力を超える電力を被加熱物に供給してもスイッチング素子１２、１３が熱破壊を起こすことなく動作することができる。【選択図】図１
2007294345.tif 000002
【特許請求の範囲】
【請求項１】
第１のスイッチング素子と第２のスイッチング素子の直列接続体と、前記第１のスイッチング素子に並列に接続された第１の逆導通素子と、前記第２のスイッチング素子に並列に接続された第２の逆導通素子と、前記第１のスイッチング素子または前記第２のスイッチング素子に並列に接続された加熱コイルおよび共振コンデンサを含む共振回路とを内包して、前記第１のスイッチング素子と前記第２のスイッチング素子の排他的導通により前記共振回路に共振電流を供給するインバータと、前記インバータに電力を供給する電源と、前記第１のスイッチング素子と前記第２のスイッチング素子を冷却する冷却ファンと、前記第１のスイッチング素子と前記第２のスイッチング素子を導通制御する制御手段と、前記第１のスイッチング素子または前記第２のスイッチング素子の温度を直接または間接的に検知してその検知信号を前記制御手段に出力する温度検知手段とを備え、前記制御手段は、前記温度検知手段から前記制御手段に出力される温度検知信号により前記第１のスイッチング素子と前記第２のスイッチング素子の温度があるしきい値を下回ると判断した場合、定常動作時の電力を超える電力を被加熱物に供給するように制御する誘導加熱装置。
【請求項２】
インバータの動作開始時、第１のスイッチング素子と第２のスイッチング素子の温度が常温の場合、制御手段は、前記第１のスイッチング素子と前記第２のスイッチング素子の温度がある第２のしきい値を上回るまで定常動作時の電力を超える電力を被加熱物に供給するように制御してなる請求項１に記載の誘導加熱装置。
【請求項３】
被加熱物に供給したい電力を最大に設定した場合、制御手段は、第１のスイッチング素子と第２のスイッチング素子の温度がある第２のしきい値を上回るまで定常動作時の電力を超える電力を被加熱物に供給するように制御してなる請求項１または２に記載の誘導加熱装置。
【請求項４】
被加熱物の温度をある任意の値に設定する場合、制御手段は、第１のスイッチング素子と第２のスイッチング素子の温度がある第２のしきい値を上回るまで定常動作時の電力を超える電力を被加熱物に供給するように制御してなる請求項１または２に記載の誘導加熱装置。
【請求項５】
制御手段は、第１のスイッチング素子と第２のスイッチング素子の温度があるしきい値を下回る場合、前記第１のスイッチング素子の導通開始後から前記第１のスイッチング素子が非導通状態になるまでにインバータに流れる共振電流の周期を１周期減らしてなる請求項１〜４のいずれか１項に記載の誘導加熱装置。
【請求項６】
制御手段は、第１のスイッチング素子と第２のスイッチング素子の温度があるしきい値を下回る場合、前記第１のスイッチング素子と前記第２のスイッチング素子を導通制御する制御信号を変化してなる請求項１〜５のいずれか１項に記載の誘導加熱装置。
【請求項７】
制御手段は、第１のスイッチング素子または第２のスイッチング素子の温度がある第２のしきい値を上回ると、定常動作時の電力まで抑えた電力を被加熱物に供給するように制御してなる請求項１〜６のいずれか１項に記載の誘導加熱装置。
【請求項８】
制御手段は、第１のスイッチング素子の導通開始後、前記第１のスイッチング素子に電流が流れている期間内において前記第１のスイッチング素子の駆動停止タイミングを変更してなる請求項１〜７のいずれか１項に記載の誘導加熱装置。
【請求項９】
加熱コイルの電流を検知してその検知信号を制御手段に出力する電流検知手段または共振コンデンサの電圧を検知してその検知信号を前記制御手段に出力する電圧検知手段の少なくとも１つを備え、前記制御手段は、前記電流検知手段または前記電圧検知手段から前記制御手段に出力される検知信号に伴い、前記制御手段から前記第１のスイッチング素子と前記第２のスイッチング素子に出力する制御信号を変化させ、前記加熱コイル、スイッチング素子の耐電流や前記共振コンデンサ、スイッチング素子の耐電圧を超えないように制御してなる請求項１〜８のいずれか１項に記載の誘導加熱装置。
【発明の詳細な説明】
【技術分野】
【０００１】
本発明は、誘導加熱調理器などとして用いられる誘導加熱装置に関するものである。
【背景技術】
【０００２】
従来の誘導加熱装置において、スイッチング素子の冷却不足による熱破壊を防ぎ、かつ冷却ファンから発生する騒音を低減するために、冷却ファンの回転数を出力電力に応じて調整するものが知られている（例えば、特許文献１参照）。
【特許文献１】特開２００４−２２０９５９号公報
【発明の開示】
【発明が解決しようとする課題】
【０００３】
しかしながら、前記従来の構成では、長時間動作してもスイッチング素子が熱破壊を起こさない定常状態での冷却ファンの回転数と出力電力との関係に基づいて設計されており、定常状態で冷却不可能な電力は出力できないようになっている。つまり、一時的に電力を高く出力し加熱を短時間で行うことができるものではなかった。
【０００４】
本発明は、前記従来の課題を解決するもので、信頼性を失うことなく、一時的な電力の高出力化・加熱の短時間化を図ることができる誘導加熱装置を提供することを目的とする。
【課題を解決するための手段】
【０００５】
前記従来の課題を解決するために、本発明の誘導加熱装置は、第１のスイッチング素子と、第２のスイッチング素子と、第１の逆導通素子と、第２の逆導通素子と、加熱コイルと、共振コンデンサと、電源と、冷却ファンと、制御手段と、温度検知手段とを備え、前記制御手段は、前記温度検知手段から前記制御手段に出力される温度検知信号により前記第１のスイッチング素子と前記第２のスイッチング素子の温度があるしきい値を下回ると判断した場合、定常動作時の電力を超える電力を被加熱物に供給するように制御したものである。
【０００６】
これによって、信頼性を失うことなく、一時的な電力の高出力化・加熱の短時間化を図ることができる。また、温度検知手段によりスイッチング素子の温度を把握できるため、スイッチング素子の温度が低いときにのみ電力を定格以上に出力することで、冷却ファンの回転数はインバータの定格出力以下でのみ冷却することができる回転数であっても、スイッチング素子の温度が高くなるまではスイッチング素子の熱破壊が起きず、装置の信頼性を維持したままで動作可能である。
【発明の効果】
【０００７】
本発明の誘導加熱装置は、信頼性を失うことなく、一時的な電力の高出力化・加熱の短時間化を図ることができる。
【発明を実施するための最良の形態】
【０００８】
第１の発明は、第１のスイッチング素子と第２のスイッチング素子の直列接続体と、前記第１のスイッチング素子に並列に接続された第１の逆導通素子と、前記第２のスイッチング素子に並列に接続された第２の逆導通素子と、前記第１のスイッチング素子または前記第２のスイッチング素子に並列に接続された加熱コイルおよび共振コンデンサを含む共振回路とを内包して、前記第１のスイッチング素子と前記第２のスイッチング素子の排他的導通により前記共振回路に共振電流を供給するインバータと、前記インバータに電力を供給する電源と、前記第１のスイッチング素子と前記第２のスイッチング素子を冷却する冷却ファンと、前記第１のスイッチング素子と前記第２のスイッチング素子を導通制御する制御手段と、前記第１のスイッチング素子または前記第２のスイッチング素子の温度を直接または間接的に検知してその検知信号を前記制御手段に出力する温度検知手段とを備え、前記制御手段は、前記温度検知手段から前記制御手段に出力される温度検知信号により前記第１のスイッチング素子と前記第２のスイッチング素子の温度があるしきい値を下回ると判断した場合、定常動作時の電力を超える電力を被加熱物に供給するように制御する誘導加熱装置としたものである。これによって、信頼性を失うことなく、一時的な電力の高出力化・加熱の短時間化を図ることができる。また、温度検知手段によりスイッチング素子の温度を把握できるため、スイッチング素子の温度が低いときにのみ電力を定格以上に出力することで、冷却ファンの回転数はインバータの定格出力以下でのみ冷却することができる回転数であっても、スイッチング素子の温度が高くなるまではスイッチング素子の熱破壊が起きず、装置の信頼性を維持したままで動作可能である。
【０００９】
第２の発明は、特に、第１の発明において、インバータの動作開始時、第１のスイッチング素子と第２のスイッチング素子の温度が常温の場合、制御手段は、前記第１のスイッチング素子と前記第２のスイッチング素子の温度がある第２のしきい値を上回るまで定常動作時の電力を超える電力を被加熱物に供給するように制御してなることにより、被加熱物に供給する電力を定格以上で供給する時間を長くすることができる。また、被加熱物の予熱時間の短縮や被加熱物の温度を迅速に定常化する手段として用いることができる。
【００１０】
第３の発明は、特に、第１または第２の発明において、被加熱物に供給したい電力を最大に設定した場合、制御手段は、第１のスイッチング素子と第２のスイッチング素子の温度がある第２のしきい値を上回るまで定常動作時の電力を超える電力を被加熱物に供給するように制御してなることにより、インバータが動作中においても被加熱物に供給する電力を定格以上で供給するように切り換えることができる。また、被加熱物の温度を切り換え操作後から迅速に定常化することができる。
【００１１】
第４の発明は、特に、第１または第２の発明において、被加熱物の温度をある任意の値に設定する場合、制御手段は、第１のスイッチング素子と第２のスイッチング素子の温度がある第２のしきい値を上回るまで定常動作時の電力を超える電力を被加熱物に供給するように制御してなることにより、被加熱物の予熱時間の短縮や被加熱物の温度を迅速に定常化することができる。
【００１２】
第５の発明は、特に、第１〜第４のいずれか１つの発明において、制御手段は、第１のスイッチング素子と第２のスイッチング素子の温度があるしきい値を下回る場合、前記第１のスイッチング素子の導通開始後から前記第１のスイッチング素子が非導通状態になるまでにインバータに流れる共振電流の周期を１周期減らしてなることにより、共振電流の周期を１周期減らす前に比べて力率の高い状態で動作することになるため、被加熱物に供給する電力を定格以上で供給することができる。また、被加熱物の予熱時間の短縮や被加熱物の温度を迅速に定常化する手段として用いることができる。
【００１３】
第６の発明は、特に、第１〜第５のいずれか１つの発明において、制御手段は、第１のスイッチング素子と第２のスイッチング素子の温度があるしきい値を下回る場合、前記第１のスイッチング素子と前記第２のスイッチング素子を導通制御する制御信号を変化してなることにより、出力電力が調節でき、被加熱物に供給する電力を定格以上で供給することができる。また、被加熱物の予熱時間の短縮や被加熱物の温度を迅速に定常化する手段として用いることができる。
【００１４】
第７の発明は、特に、第１〜第６のいずれか１つの発明において、制御手段は、第１のスイッチング素子または第２のスイッチング素子の温度がある第２のしきい値を上回ると、定常動作時の電力まで抑えた電力を被加熱物に供給するように制御してなることにより、スイッチング素子が耐熱温度を超えることはなく、そのためスイッチング素子が熱破壊を起こさずに動作することができるため、装置の信頼性を維持することができる。
【００１５】
第８の発明は、特に、第１〜第７のいずれか１つの発明において、制御手段は、第１のスイッチング素子の導通開始後、前記第１のスイッチング素子に電流が流れている期間内において前記第１のスイッチング素子の駆動停止タイミングを変更してなることにより、スイッチング素子の導通開始時の共振電流は、スイッチング素子に並列に接続された逆導通素子に流れているため、導通開始時のスイッチング素子で発生する損失をなくすことができる。また、スイッチング素子に電流が流れている期間内であれば任意のタイミングでオフすることができるので、出力電力を任意に可変することができる。
【００１６】
第９の発明は、特に、第１〜第８のいずれか１つの発明において、加熱コイルの電流を検知してその検知信号を制御手段に出力する電流検知手段または共振コンデンサの電圧を検知してその検知信号を前記制御手段に出力する電圧検知手段の少なくとも１つを備え、前記制御手段は、前記電流検知手段または前記電圧検知手段から前記制御手段に出力される検知信号に伴い、前記制御手段から前記第１のスイッチング素子と前記第２のスイッチング素子に出力する制御信号を変化させ、前記加熱コイル、スイッチング素子の耐電流や前記共振コンデンサ、スイッチング素子の耐電圧を超えないように制御してなることにより、インバータが定格を超える電力の出力を行うことで回路部品の破壊が生じるようであれば、スイッチング素子の温度があるしきい値を下回る場合でもインバータが定格を超える電力の出力を行わないようにして回路部品の破壊を防ぐことができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における誘導加熱装置を示すものである。また、図２は本発明の実施の形態１における時間に対する出力電力とスイッチング素子の温度の関係を示すものである。
【００１９】
図１に示すように、本実施の形態における誘導加熱装置は、第１のスイッチング素子１２と第２のスイッチング素子１３の直列接続体と、第１のスイッチング素子１２に並列に接続された第１の逆導通素子１２ａと、第２のスイッチング素子１３に並列に接続された第２の逆導通素子１３ａと、第１のスイッチング素子１２または第２のスイッチング素子１３に並列に接続された加熱コイル１４および共振コンデンサ１５を含む共振回路とを内包して、前記第１のスイッチング素子１２と前記第２のスイッチング素子１３の排他的導通により前記共振回路に共振電流を供給するインバータとを備えている。また、インバータに電力を供給する電源１１と、第１のスイッチング素子１２と第２のスイッチング素子１３を冷却する冷却ファン１９と、第１のスイッチング素子１２と第２のスイッチング素子１３を導通制御する制御手段１７と、加熱コイル１４により加熱される鍋などの被加熱物１６と、第１のスイッチング素子１２または第２のスイッチング素子１３の温度を直接または間接的に検知してその検知信号を制御手段１７に出力する温度検知手段１８と、スナバコンデンサ２０も備えている。そして、制御手段１７は、温度検知手段１８から制御手段１７に出力される温度検知信号により第１のスイッチング素子１２と第２のスイッチング素子１３の温度があるしきい値を下回ると判断した場合、定常動作時の電力を超える電力を被加熱物１６に供給するように制御するものである。
【００２０】
第２のスイッチング素子１３と並列にスナバコンデンサ２０を接続することにより、第１のスイッチング素子１２と第２のスイッチング素子１３がオンからオフに遷移する際に発生するスイッチング損失を抑制するようにしている。
【００２１】
次に、上記構成における誘導加熱装置の動作を、図２に基づき説明する。
【００２２】
誘導加熱装置には第１のスイッチング素子１２または第２のスイッチング素子１３の温度を検知する温度検知手段１８を備えており、制御手段１７は第１のスイッチング素子１２と第２のスイッチング素子１３の温度を把握している。制御手段１７が第１のスイッチング素子１２と第２のスイッチング素子１３の温度があるしきい値よりも低いと判断したとき、冷却ファン１９の冷却能力を超える発熱が第１のスイッチング素子１２と第２のスイッチング素子１３で発生する電力であっても被加熱物１６に定格以上の電力を出力（出力電力を最大設定）するものである。
【００２３】
上記において、第１のスイッチング素子１２と第２のスイッチング素子１３の温度が低いときは、定格の出力電力以上の電力（最大設定）を被加熱物１６に供給することができるため、被加熱物１６を定格の出力電力時より高い温度に設定することや、設定した加熱温度に達するまでの時間を短縮することなどができる。また、第１のスイッチング素子１２と第２のスイッチング素子１３の温度が低いときにのみ定格の出力電力以上の電力を被加熱物１６に供給するため、各々のスイッチング素子が耐熱温度を超えることはなく、第２のしきい値以下であるため第１のスイッチング素子１２と第２のスイッチング素子１３が熱破壊を起こさずに動作することができる。
【００２４】
さらに、定格以上の電力出力時、第１のスイッチング素子１２と第２のスイッチング素子１３を冷却するための冷却ファン１９の風量は定格時の場合と同じまたはそれ以下であるため、新たに風量が大きい冷却ファンを設置しなくても出力電力を大きくすることができる。
【００２５】
さらに、第１のスイッチング素子１２と第２のスイッチング素子１３を冷却するための冷却ファン１９の風量は定格時の場合と同じまたはそれ以下であるため、冷却ファン１９から発生する騒音を増大させることなく被加熱物１６に供給する電力を増大させることができる。
【００２６】
さらに、インバータの動作開始時など、第１のスイッチング素子１２と第２のスイッチング素子１３の温度が常温の場合は、各々のスイッチング素子が最低温度であると考えられるので、第１のスイッチング素子１２と第２のスイッチング素子１３の耐熱温度までの温度差が最大であり、そのため被加熱物１６に供給する電力を定格以上で供給できる時間を長くすることができる。
【００２７】
（実施の形態２）
図３は、本発明の実施の形態２における誘導加熱装置の時間に対する出力電力とスイッチング素子の温度の関係を示すものである。
【００２８】
本実施の形態において実施の形態１と異なる点は、被加熱物１６に供給したい電力を最大に設定した場合、制御手段１７は、第１のスイッチング素子１２と第２のスイッチング素子１３の温度がある第２のしきい値を上回るまで定常動作時の電力を超える電力を被加熱物に供給するように制御することである。
【００２９】
上記誘導加熱装置とすることにより、インバータが動作中においても被加熱物１６に供給する電力を定格以上で供給するように切り換えることができる。また、被加熱物の温度を切り換え操作後から迅速に定常化することができる。
【００３０】
（実施の形態３）
図４は、本発明の実施の形態３における誘導加熱装置の時間に対する出力電力とスイッチング素子の温度の関係を示すものである。
【００３１】
本実施の形態において実施の形態１、２と異なる点は、被加熱物１６の温度をある任意の値に迅速に設定する場合、制御手段１７は、第１のスイッチング素子１２と第２のスイッチング素子１３の温度がある第２のしきい値を上回るまで定常動作時の電力を超える電力を被加熱物１６に供給するように制御することである。そして、被加熱物１６が設定温度に到達すると定常動作時の電力を供給して設定温度を維持するものである。
【００３２】
上記誘導加熱装置とすることにより、設定切り換え時の温度と目標温度の差が大きくなくても被加熱物１６に供給する電力を定格以上で供給するため、被加熱物の予熱時間の短縮や被加熱物の温度を迅速に定常化することができる。
【００３３】
（実施の形態４）
図５は、本発明の実施の形態４における誘導加熱装置を示すものである。また、図６は第１のスイッチング素子１２の導通開始後から非導通状態になるまでにインバータに流れる共振電流の周期が増えた場合、図７はその反対に減った場合を示している。さらに、図８は第１のスイッチング素子１２と第２のスイッチング素子１３の動作周波数が高い場合、図９はその反対に低い場合を示している。さらに、図１０は本発明の実施の形態４における時間に対する出力電力とスイッチング素子の温度の関係を示すものである。
【００３４】
本実施の形態において実施の形態１〜３と異なる点は、図５に示すように、加熱コイル１４の電流を検知してその検知信号を制御手段１７に出力する電流検知手段２２または共振コンデンサ１５の電圧を検知してその検知信号を前記制御手段１７に出力する電圧検知手段２１の少なくとも１つを備え、前記制御手段１７は、前記電流検知手段２２または前記電圧検知手段２１から前記制御手段１７に出力される検知信号に伴い、前記制御手段１７から前記第１のスイッチング素子１２と前記第２のスイッチング素子１３に出力する制御信号を変化させ、前記加熱コイル１４、スイッチング素子の耐電流や前記共振コンデンサ１５、スイッチング素子の耐電圧を超えないように制御することである。
【００３５】
ここで、制御手段１７は、第１のスイッチング素子１２と第２のスイッチング素子１３の温度があるしきい値を下回る場合、前記第１のスイッチング素子１２の導通開始後から前記第１のスイッチング素子１２が非導通状態になるまでにインバータに流れる共振電流の周期を１周期減らしてなることにより（図７）、共振電流の周期を１周期減らす前（図６）に比べて力率の高い状態で動作することになるため、被加熱物１６に供給する電力を定格以上で供給することができる。また、被加熱物１６の予熱時間の短縮や被加熱物１６の温度を迅速に定常化する手段として用いることができる。
【００３６】
さらに、制御手段１７は、第１のスイッチング素子１２と第２のスイッチング素子１３の温度があるしきい値を下回る場合、前記第１のスイッチング素子１２と前記第２のスイッチング素子１３を導通制御する制御信号（本実施の形態では動作周波数）を変化してなることにより（図８、図９）、出力電力が調節でき、被加熱物１６に供給する電力を定格以上で供給することができる。また、被加熱物１６の予熱時間の短縮や被加熱物１６の温度を迅速に定常化する手段として用いることができる。
【００３７】
さらに、制御手段１７は、第１のスイッチング素子１２または第２のスイッチング素子１３の温度がある第２のしきい値を上回ると、定常動作時の電力まで抑えた電力を被加熱物１６に供給するように制御することにより（図１０）、第１のスイッチング素子１２と第２のスイッチング素子１３が耐熱温度を超えることはなく、そのため第１のスイッチング素子１２と第２のスイッチング素子１３が熱破壊を起こさずに動作することができるため、装置の信頼性を維持することができる。
【００３８】
さらに、制御手段１７は、第１のスイッチング素子１２の導通開始後、第１のスイッチング素子１２に電流が流れている期間内において、第１のスイッチング素子１２の駆動停止タイミングを変更することにより、第２のスイッチング素子１３の導通開始時における共振電流は、第２のスイッチング素子１３に並列に接続された逆導通素子１３ａに流れているため、導通開始時の第２のスイッチング素子１３で発生する損失をなくすことができる。また、第１のスイッチング素子１２に電流が流れている期間内であれば任意のタイミングでオフすることができるので、出力電力を任意に可変することができる。
【００３９】
さらに、加熱コイル１４の電流を検知してその検知信号を制御手段１７に出力する電流検知手段２２と共振コンデンサ１５の電圧を検知してその検知信号を制御手段１７に出力する電圧検知手段２１を備え、制御手段１７は、加熱コイル１４、第１のスイッチング素子１２と第２のスイッチング素子１３の耐電流や、共振コンデンサ１５、第１のスイッチング素子１２と第２のスイッチング素子１３の耐電圧を超えないように制御することにより、インバータが定格を超える電力の出力を行うことで回路部品の破壊が生じるようであれば、第１のスイッチング素子１２と第２のスイッチング素子１３の温度があるしきい値を下回る場合でもインバータが定格を超える電力の出力を行わないようにして回路部品の破壊を防ぐことができる。
【００４０】
なお、上記各実施の形態１〜４の手段・方法は、必要に応じて適宜組み合わせることができるものであり、各実施の形態そのものに限定されるものではない。また、各実施の形態における制御方法は、２つのスイッチング素子の直列接続体を用いたインバータの型であればどのインバータにおいても応用は可能であるので、高出力電力が必要な場合には、フルブリッジ型に適用することもできるものであって、インバータ方式は限定されるものではない。
【産業上の利用可能性】
【００４１】
以上のように、本発明にかかる誘導加熱装置は、信頼性を失うことなく、一時的な電力の高出力化・加熱の短時間化を図ることができるので、一定の冷却能力に対してより高出力が望まれる誘導加熱装置や急峻な温度立ち上げが必要な誘導加熱装置全てにおいて利用することができる。そのため、ＩＨクッキングヒーターのような家電民生用品のみならず、業務用品を含め全ての誘導加熱装置に適用可能である。
【図面の簡単な説明】
【００４２】
【図１】本発明の実施の形態１における誘導加熱装置を示す回路図
【図２】同誘導加熱装置の時間に対する出力電力とスイッチング素子の温度の関係を示す図
【図３】本発明の実施の形態２における誘導加熱装置の時間に対する出力電力とスイッチング素子の温度の関係を示す図
【図４】本発明の実施の形態３における誘導加熱装置の時間に対する出力電力とスイッチング素子の温度の関係を示す図
【図５】本発明の実施の形態４における誘導加熱装置を示す回路図
【図６】同誘導加熱装置における制御信号波形と電流波形を示す図
【図７】同誘導加熱装置における他の制御信号波形と電流波形を示す図
【図８】同誘導加熱装置における図６とは別の制御信号波形と電流波形を示す図
【図９】同誘導加熱装置における他の制御信号波形と電流波形を示す図
【図１０】同誘導加熱装置の時間に対する出力電力とスイッチング素子の温度の関係を示す図
【符号の説明】
【００４３】
１１  電源
１２  第１のスイッチング素子
１２ａ  第１の逆導通素子
１３  第２のスイッチング素子
１３ａ  第２の逆導通素子
１４  加熱コイル
１５  共振コンデンサ
１６  被加熱物
１７  制御手段
１８  温度検知手段
１９  冷却ファン
２０  スナバコンデンサ
２１  電圧検知手段
２２  電流検知手段
【図１】
2007294345.tif 000003
【図２】
2007294345.tif 000004
【図３】
2007294345.tif 000005
【図４】
2007294345.tif 000006
【図５】
2007294345.tif 000007
【図６】
2007294345.tif 000008
【図７】
2007294345.tif 000009
【図８】
2007294345.tif 000010
【図９】
2007294345.tif 000011
【図１０】
2007294345.tif 000012